(57)【要約】【課題】文字情報が付加されていない一般放送番組等を記録媒体に記録して再生する場合や、視聴制限レベルを示すデータが付加されていない市販のＤＶＤ等を再生する場合においても、音声情報を文字情報に変換してキーワード検索に利用することで、ユーザの所望する条件での視聴制限を可能とする。【解決手段】記録媒体に記録する動画情報に含まれている音声情報を文字情報に変換する情報変換部１４と、ユーザによって登録される１または複数の文字情報を記憶する文字情報記憶部１３ａとを備え、マイコン１２は、情報変換部１４によって変換された文字情報と、文字情報記憶部１３ａに記憶されている文字情報とを比較し、一致する文字情報がある場合には、その文字情報を含む動画情報の再生を制限する。【選択図】図１
2008294496.tif 000002
【特許請求の範囲】
【請求項１】
動画情報を記録媒体に記録するとともに、記録した動画情報を再生する情報記録再生装置において、
前記記録媒体に記録する動画情報に含まれている音声情報を文字情報に変換する変換手段と、
ユーザによって登録される１または複数の文字情報を記憶する文字情報記憶手段と、
前記変換手段によって変換された文字情報と前記文字情報記憶手段に記憶されている文字情報とを比較し、一致する文字情報がある場合には、その文字情報を含む動画情報の再生を制限する視聴制限手段とを備えたことを特徴とする情報記録再生装置。
【請求項２】
前記視聴制御手段は、一致する文字情報がある場合には、その文字情報を含む一定期間の間だけ、動画情報の再生を制限することを特徴とする請求項１に記載の情報記録再生装置。
【請求項３】
文字情報の一致する回数に応じて１または複数の視聴制限レベルが記憶されているレベル記憶手段と、
前記視聴制限レベルをユーザが設定するレベル設定手段とを備え、
前記視聴制限手段は、前記レベル設定手段によって任意の視聴制限レベルが設定された場合に、前記変換手段によって変換された文字情報と前記文字情報記憶手段に記憶されている文字情報とを比較し、文字情報の一致する回数が前記設定された視聴制限レベルの回数以上である場合にその文字情報を含む動画情報の再生を制限することを特徴とする請求項１または請求項２に記載の情報記録再生装置。
【請求項４】
前記文字情報記憶手段に記憶されている文字情報にそれぞれ点数が割り当てられており、この文字情報に割り当てられている点数の総得点数に応じて１または複数の視聴制限レベルが記憶されているレベル記憶手段と、
前記視聴制限レベルをユーザが設定するレベル設定手段とを備え、
前記視聴制限手段は、前記レベル設定手段によって任意の視聴制限レベルが設定された場合に、前記変換手段によって変換された文字情報と前記文字情報記憶手段に記憶されている文字情報とを比較し、一致する文字情報に割り当てられている点数を順次加算することで総得点数を算出し、その算出した総得点数が前記設定された視聴制限レベルの総得点数以上である場合にその文字情報を含む動画情報の再生を制限することを特徴とする請求項１または請求項２に記載の情報記録再生装置。
【請求項５】
前記視聴制限手段は、再生を制限する動画情報の再生が指示された場合には、パスワードの入力画面を表示し、ユーザが予め登録しているパスワードが入力された場合には視聴制限を解除して再生を許可することを特徴とする請求項１ないし請求項４のいずれかに記載の情報記録再生装置。
【発明の詳細な説明】
【技術分野】
【０００１】
本発明は、文字情報が付加されていない一般放送番組等についても視聴制限を可能とした情報記録再生装置に関する。
【背景技術】
【０００２】
地上波放送やケーブルテレビ、衛星放送等の放送システムにおいては、暴力的なシーンや性的なシーンを含む映像信号の受信を制限するため、Ｖ−ｃｈｉｐシステムが提案されている。このＶ−ｃｈｉｐシステムでは、放送する番組のそれぞれに対して視聴制限のレベルを示すデータを付加し、これを受信する装置側では、視聴が可能となるレベルを予め設定し、この設定したレベルを満たす番組についてのみ、受信を可能にする構成となっている。また、電源投入時に選局したチャンネルがこのような視聴制限に該当する番組である場合に、他のチャンネルを自動的に選択してモニタ画面に表示するように構成された装置も提案されている（例えば、特許文献１参照）。
【０００３】
さらに、市販のＤＶＤ（Ｄｉｇｉｔａｌ Ｖｅｒｓａｔｉｌｅ Ｄｉｓｋ）等のディスクにおいても、視聴制限レベルを示すデータが付加されたものがあり、このようなディスクでは、視聴の際に再生を禁止することで視聴制限が可能である。
【０００４】
しかし、このようなＶ−ｃｈｉｐを搭載した装置や特許文献１記載の装置では、放送番組に視聴制限レベルを示すデータが付加されている場合には、視聴制限を実行することが可能であるが、このようなデータが付加されていない放送番組を記録媒体に記録した場合には、その再生を禁止することができない。また、市販のＤＶＤに視聴制限レベルを示すデータが付加されていない場合には、そのＤＶＤの再生を禁止することができない。すなわち、いずれも視聴制限レベルを示すデータが付加されている場合にしか視聴制限を有効に機能させることができない構成となっている。
【０００５】
一方、このような視聴制限レベルを示すデータが付加されていなくても、ユーザの所望する状況に応じて視聴制限を可能とする視聴制限装置も提案されている（例えば、特許文献２参照）。
【０００６】
この視聴制限装置は、予め視聴制限のためのキーワードを設定し、設定されたキーワードと映像信号に対応して送信されてくる内容表示信号とを比較し、キーワードと内容表示信号とが一致する場合に視聴制限を行う構成となっている。この構成によれば、映像信号等に視聴制限レベルを示すデータが付加されていなくても、キーワードの一致によって視聴制限を行うことが可能である。
【０００７】
しかし、このような視聴制限装置においても、キーワードを含む内容表示信号が映像信号に付加されて送信されている必要があり、このような内容表示信号、すなわち文字情報の付加されていない映像信号の場合には、視聴制限が全く機能しないことになる。
【０００８】
ところで、最近は人の会話等の音声情報を文字情報に変換する技術が提供されており、この技術を利用して番組の予約処理を行う予約制御装置なども提案されている（例えば、特許文献３参照）。この予約制御装置は、放送番組中の音声からリアルタイムで名詞を抽出し、名詞情報一覧中にその名詞情報がある場合には、その名詞情報に関連する番組を検索して、番組予約処理を実行するものである。
【特許文献１】特開２００１−１０３３８７号公報
【特許文献２】特開２００６−２５４２５７号公報
【特許文献３】特開２００３−６１０００号公報
【発明の開示】
【発明が解決しようとする課題】
【０００９】
上記したように、視聴制限機能を有する従来の情報記録再生装置では、キーワードの一致によって視聴制限を行うことが可能であるが、これは、映像信号に文字情報が付加されて送信されている場合であり、このような文字情報が付加されていなければ視聴制限が全く機能しないといった問題があった。
【００１０】
そこで、映像信号に文字情報が付加されていない場合でも、上記の音声情報を文字情報に変換する技術を視聴制限に利用することで、ユーザのさらなる利便性が向上すると考えられるが、現在のところ、そのような技術を視聴制限に適用した情報記録再生装置は提案されていない。
【００１１】
本発明はかかる実情に鑑みて創案されたもので、その目的は、文字情報が付加されていない一般放送番組等を記録媒体に記録して再生する場合や、視聴制限レベルを示すデータが付加されていない市販のＤＶＤ等を再生する場合においても、音声情報を文字情報に変換してキーワード検索に利用することで、ユーザの所望する条件での視聴制限を可能とした情報記録再生装置を提供することにある。
【課題を解決するための手段】
【００１２】
上記課題を解決するため、本発明の情報記録再生装置は（１）、一般放送番組等の動画情報を記録媒体に記録するとともに、記録した動画情報を再生する情報記録再生装置において、前記記録媒体に記録する動画情報に含まれている音声情報を文字情報に変換する変換手段と、ユーザによって登録される１または複数の文字情報を記憶する文字情報記憶手段と、前記変換手段によって変換された文字情報と前記文字情報記憶手段に記憶されている文字情報とを比較し、一致する文字情報がある場合には、その文字情報を含む動画情報の再生を制限する視聴制限手段とを備えたことを特徴としている。
【００１３】
音声情報を文字情報に変換する変換手段は、上記特許文献３にも記載されているように従来周知の技術であるので、ここでは詳細な説明を省略するが、本発明においても音声情報から名詞を抽出する構成とすることができる。
【００１４】
文字情報記憶手段には、ユーザ自身が、視聴制限が必要であると考える文字情報を登録する。この文字情報は、ユーザによって、適宜、追加登録及び削除が可能である。なお、文字情報記憶手段への文字情報の登録や削除は、本情報記録再生装置の管理者を予め設定しておき、この管理者権限においてのみ行えるように構成しておく。これにより、その他の者（例えば、家族内での子供等）によって不測に削除されないようにすることができる。
【００１５】
視聴制限手段は、変換手段によって変換された文字情報と、文字情報記憶手段に記憶されている文字情報とを比較し、一致する文字情報がある場合には、その文字情報を含む動画情報の再生を制限する。これにより、ユーザの所望する文字情報を含む動画情報の再生を確実に禁止することが可能となる。なお、このときの再生禁止は、その動画情報自体の再生を禁止する場合の他、その文字情報を含む部分を再生するときに、その文字情報の前後数秒間のみを再生禁止（ブルー画面や音声ミュート等）にすることも可能である。ＤＶＤ装置やハードディスク（ＨＤ）装置等では、ディスクから再生した情報を一旦バッファに蓄積し、その後バッファから情報を読み出して再生するようになっているので、このバッファに蓄積した時点で文字情報の検索が可能である。従って、文字情報が一致した場合には、その時点でバッファに蓄積されている情報を再生しないようにすれば、市販のＤＶＤ等を単に再生する場合でも、上記した部分的な視聴制限を実施することが可能である。また、このようにして一度市販のＤＶＤを再生することで、一致する文字情報が含まれているのか否かを判断できるので、その一致情報をメモリ等に記憶しておくことで、次回の再生時には、メモリ等に記憶されている一致情報を基にして、最初から再生を全面禁止する等の処理を行うことも可能となる。
【００１６】
また、本発明の情報記録再生装置は、文字情報の一致する回数に応じて１または複数の視聴制限レベルが記憶されているレベル記憶手段と、前記視聴制限レベルをユーザが設定するレベル設定手段とをさらに備え、前記視聴制限手段は、前記レベル設定手段によって任意の視聴制限レベルが設定された場合に、前記変換手段によって変換された文字情報と前記文字情報記憶手段に記憶されている文字情報とを比較し、文字情報の一致する回数が前記設定された視聴制限レベルの回数以上である場合にその文字情報を含む動画情報の再生を制限するように構成してもよい。
【００１７】
従来の視聴制限機能（パレンタルロック機能）でも、視聴制限のレベルが６〜７段階程度に設定されており、ユーザが任意のレベルを選択できるようになっている。そのため、本発明の情報記録再生装置においても、視聴制限レベルを複数レベルの中から任意のレベルに設定できる構成としている。すなわち、レベル記憶手段には、ユーザによるレベル設定手段の操作によって、文字情報の一致する回数に応じて１または複数の視聴制限レベルが記憶されている。例えば、一致する回数が１回までの場合はレベル１、一致する回数が３回までの場合はレベル２、一致する回数が５回までの場合はレベル３、・・・といった具合に複数の視聴制限レベルが記憶されている。
【００１８】
ここで、ユーザによってレベル２（３回まで）が設定されている場合、視聴制限手段は、変換手段によって変換された文字情報と、文字情報記憶手段に記憶されている文字情報とを比較し、文字情報の一致する回数が、設定されたレベル２の回数（３回まで）以上であるか否かを判断する。その結果、一致する回数が３回までであれば、レベル２の条件を満たすので、この場合には視聴制限することなく再生を許可する。すわち、ユーザが装置の再生ボタンを操作している場合には、そのまま再生を開始する。一方、一致する回数が３回を超えている場合（例えば、５回等）には、レベル２の条件を超えているので、この場合には視聴制限を行う。すなわち、ユーザが装置の再生ボタンを操作しても再生を禁止する。
【００１９】
また、本発明の情報記録再生装置は、前記文字情報記憶手段に記憶されている文字情報にそれぞれ点数が割り当てられており、この文字情報に割り当てられている点数の総得点数に応じて１または複数の視聴制限レベルが記憶されているレベル記憶手段と、前記視聴制限レベルをユーザが設定するレベル設定手段とをさらに備え、前記視聴制限手段は、前記レベル設定手段によって任意の視聴制限レベルが設定された場合に、前記変換手段によって変換された文字情報と前記文字情報記憶手段に記憶されている文字情報とを比較し、一致する文字情報に割り当てられている点数を順次加算することで総得点数を算出し、その算出した総得点数が前記設定された視聴制限レベルの総得点数以上である場合にその文字情報を含む動画情報の再生を制限するように構成してもよい。
【００２０】
すなわち、文字情報記憶手段に記憶されている文字情報に予め点数を割り当てておく。例えば、「ａａａ」という文字情報（例えば、暴力的できたない直接的な言葉等）には５点、「ｃｃｃ」という文字情報（例えば、暴力的できたない間接的な言葉等）には３点、「ｅｅｅ」という文字情報（例えば、暴力をイメージさせるような言葉等）には１点、というように、各文字情報に視聴制限の重要度に応じて予め点数を割り当てておく。レベル記憶手段には、ユーザによるレベル設定手段の操作によって、文字情報に割り当てられているこの点数の総得点数に応じた１または複数の視聴制限レベルが記憶されている。例えば、総得点数が５点までの場合はレベル１、総得点数が８点までの場合はレベル２、総得点数が１０点までの場合はレベル３、・・・といった具合に複数の視聴制限レベルが記憶されている。
【００２１】
ここで、ユーザによってレベル２（８点まで）が設定されている場合、視聴制限手段は、変換手段によって変換された文字情報と、文字情報記憶手段に記憶されている文字情報とを比較し、一致する文字情報に割り当てられている点数を順次加算することで総得点数を算出する。そして、その算出した総得点数が設定された視聴制限レベルの総得点数（８点まで）以上であるか否かを判断する。その結果、総得点数が８点までであれば、レベル２の条件を満たすので、この場合には視聴制限することなく再生を許可する。すわち、ユーザが装置の再生ボタンを操作している場合には、そのまま再生を開始する。一方、総得点数が８点を超えている場合（例えば、１０点等）には、レベル２の条件を超えているので、この場合には視聴制限を行う。すなわち、ユーザが装置の再生ボタンを操作しても再生を禁止する。
【００２２】
上記のような視聴制限の動作において、本発明の情報記録再生装置では、前記視聴制限手段は、再生を制限する動画情報の再生が指示された場合には、パスワードの入力画面を表示し、ユーザが予め登録しているパスワードが入力された場合には視聴制限を解除して再生を許可するように構成している。このパスワードの登録は、本情報記録再生装置の管理者権限においてのみ行えるように構成しておく。これにより、その他の者（例えば、家族内での子供等）によってパスワードが不測に削除されたり変更されたりすることがない。
【発明の効果】
【００２３】
本発明の情報記録再生装置は上記のように構成したので、文字情報が付加されていない一般放送番組等を記録媒体に記録して再生する場合や、市販のＤＶＤ等を再生する場合においても、音声情報を文字情報に変換して視聴制限の文字情報検索に利用することで、ユーザの所望する条件での視聴制限を確実に行うことができる。これにより、特に小さい子供等がいる家庭等において、各家庭の視聴状況に応じて所望する視聴制限レベルを設定できるので、ユーザの利便性をさらに向上させることができる。
【発明を実施するための最良の形態】
【００２４】
以下、本発明の実施の形態について、図面を参照して説明する。
【００２５】
図１は、本発明の一実施形態である情報記録再生装置の機能ブロック図であり、ここではハードディスク内蔵型ＤＶＤレコーダを例示している。
【００２６】
本実施形態のハードディスク内蔵型ＤＶＤレコーダ１は、アンテナ１６により受信されたアナログ放送信号やデジタル放送信号等のテレビ放送から選択されたチャンネルの番組放送を受信するチューナ２と、受信した番組の動画情報（映像データや音声データ等）の信号を処理する信号処理回路３と、信号処理後の動画情報をＤＶＤ（Ｄｉｇｉｔａｌ Ｖｅｒｓａｔｉｌｅ Ｄｉｓｋ）等の光ディスクに記録・再生するＤＶＤ部５と、信号処理後の動画情報をハードディスク（ＨＤ）に記録・再生するＨＤＤ（Ｈａｒｄ Ｄｉｓｋ Ｄｒｉｖｅ）部６と、これらＤＶＤ部５及びＨＤＤ部６の記録及び再生を制御するストレージ制御部７と、メニュー等の文字情報信号を映像信号に重畳して、文字情報をモニタ装置３０の画面に表示するＯＳＤ（Ｏｎ Ｃｈａｒａｃｔｅｒ Ｄｉｓｐｌａｙ）回路８と、音声信号を増幅してスピーカ４０を駆動する音声出力回路９と、本装置のシステム全体を制御するマイコン１２と、ユーザによって登録された視聴制限のための文字情報（以下「キーワード」ともいう。）や視聴制限レベルを含む各種情報を記憶するメモリ部（ＥＥＰＲＯＭやフラッシュメモリ等）１３と、動画情報に含まれている音声情報を文字情報に変換する情報変換部１４と、リモコン２０から送信された赤外線信号のリモコン信号を受信して、所定の電気信号に変換するリモコン受信部１５とで構成されている。
【００２７】
メモリ部１３には、視聴制限のためのキーワードを記憶する文字情報記憶部１３ａ、及び視聴制限レベルを記憶する視聴制限レベル記憶部１３ｂの各領域が割り当てられている。文字情報記憶部１３ａには、ユーザ自身が、視聴制限が必要であると考えるキーワードを登録する。
【００２８】
図２は、文字情報記憶部１３ａに格納されているキーワードの登録テーブル例を示している。この例では、視聴制限のキーワードとして、例えば暴力的できたない直接的な言葉である「ａａａ」、例えば暴力的できたない間接的な言葉である「ｃｃｃ」、例えば暴力をイメージさせるような間接的な言葉である「ｅｅｅ」、・・・、等の、ユーザが自己の判断で入力した複数のキーワードが登録されている。また、このキーワードにはそれぞれ点数が対応付けて登録されている。この点数は、図３に示すキーワードデータベースに予め格納されており、ユーザが図２のキーワード登録テーブルにキーワードを入力すると、マイコン１２が図３に示すキーワードデータベースから対応するキーワードに付与されている点数を読み出してキーワード登録テーブルに自動的に登録するようになっている。
【００２９】
キーワードデータべースには、「ａａａ」というキーワードに５点、「ｂｂｂ」というキーワードに４点、「ｃｃｃ」というキーワードに３点、「ｄｄｄ」というキーワードに２点、「ｅｅｅ」、「ｆｆｆ」というキーワードに１点、・・・、というように、各キーワードに視聴制限の重要度に応じて予め点数が割り当てられている。この例では、点数は１から５までの５段階となっているが、この５段階に限定されるものではない。
【００３０】
このキーワードデータベースは、例えばマイコン１２を構成する図示しないＲＯＭ等の、消去不可能な領域に予め登録されているものとする。この場合、キーワードデータベースには、視聴制限の対象として考えられる全キーワードが登録されているが、ユーザがこのキーワードデータベースに登録されていないキーワードをキーワード登録テーブルに登録した場合には、デフォルト値として自動的に１点が対応付けられるようにしておけばよい。これにより、ユーザがどのようなキーワードを登録しても、必ず点数が対応付けられることになる。
【００３１】
このキーワードは、ユーザによって、適宜、追加登録及び削除が可能である。なお、文字情報記憶部１３ａへの文字情報の登録や削除は、本ＤＶＤレコーダ１の管理者を予め設定しておき、この管理者権限においてのみ行えるように構成しておく。すなわち、管理者として登録されたパスワードを入力することで、文字情報の登録や削除画面がモニタ装置３０に表示されるように構成しておく。これにより、管理者のパスワードを知らないその他の者（例えば、家族内での子供等）によって、キーワードが不測に削除されることはない。
【００３２】
図４（ａ），（ｂ）は、視聴制限レベル記憶部１３ｂに記憶されている視聴制限レベルの各種テーブル（視聴制限テーブル）例を示している。
【００３３】
図４（ａ）に示す視聴制限テーブルには、キーワードの一致する回数に応じて複数の視聴制限レベルが記憶されている。具体的には、レベル１の一致回数が１回、レベル２の一致回数が３回、レベル３の一致回数が５回、・・・、レベル６の一致回数が１１回となっている。この視聴制限テーブルを利用する場合には、図２に示すキーワード登録テーブルの点数は利用しない。
【００３４】
また、図４（ｂ）に示す視聴制限テーブルは、図２に示すキーワード登録テーブルに登録されている点数を利用する場合の例である。具体的には、レベル１の総得点数が５点、レベル２の総得点数が８点、レベル３の総得点数が１０点、・・・、レベル６の総得点数が２５点（以上）となっている。
【００３５】
音声情報を文字情報に変換する情報変換部１４は従来周知の技術であり、本発明でもこの周知技術を適用できるので、ここでは詳細な説明を省略するが、具体的には文字情報から名詞（図２に示すキーワード登録テーブルに登録されているキーワード等）を抽出する構成とすることができる。
【００３６】
マイコン１２は、情報変換部１４によって音声情報から変換された文字情報であるキーワードと、文字情報記憶部１３ａに記憶されているキーワードとを比較し、一致するキーワードがある場合には、そのキーワードを含む動画情報の再生を制限する。すなわち、請求項に記載の視聴制限手段は、本実施形態ではマイコン１２によって実現されている。なお、このときの再生禁止は、その動画情報自体の再生を禁止する場合の他、その文字情報（キーワード）を含む部分を再生するときに、そのキーワードの前後数秒間のみを再生禁止（ブルー画面や音声ミュート等）にすることも可能である。ＤＶＤ部５やＨＤＤ部６では、ディスクから再生した情報を一旦バッファに蓄積し、その後バッファから情報を読み出して再生するようになっているので、このバッファに蓄積した時点でキーワードの検索が可能である。従って、キーワードが一致した場合には、その時点でバッファに蓄積されている情報を再生しないようにすれば、市販のＤＶＤ等を装填してＤＶＤ部５で単に再生する場合でも、このような部分的な視聴制限を実施することが可能である。また、このようにして一度市販のＤＶＤを再生することで、一致するキーワードが含まれているのか否かを判断できるので、その一致情報をＤＶＤ固有の情報と対応付けてメモリ部１３の所定の領域に記憶しておくことで、次回の再生時には、メモリ部１３の所定の領域に記憶されている一致情報を基にして、最初から再生を全面禁止する等の処理を行うことも可能となる。
【００３７】
次に、上記構成のＤＶＤレコーダ１における視聴制限処理動作について、具体的に実施例を示して説明する。
【００３８】
＜実施例１＞
図５は、本実施例１の視聴制限処理動作を説明するためのフローチャートである。以下、図５に示すフローチャートを参照して本実施例１の視聴制限処理動作を説明する。ただし、本実施例１では、図４（ａ）、（ｂ）に示す視聴制限テーブルは使用しない。また、キーワード登録テーブルには、既に図２に示すようなキーワードがユーザによって登録されているものとする。
【００３９】
ユーザが本ＤＶＤレコーダ１の電源をオンし（ステップＳ１）、リモコン２０の図示しない再生ボタンを操作すると（ステップＳ２）、マイコン１２は、本ＤＶＤレコーダ１が視聴制限オンに設定されているか否かを確認する（ステップＳ３）。視聴制限の設定は、例えばメニュー画面等から管理者権限にて（管理者用のパスワードを入力して）、視聴制限設定画面に進み、この画面から視聴制限オンを設定することで、本ＤＶＤレコーダ１を視聴制限オンに設定できるようになっている。このような視聴制限オンの設定は、以下に説明する他の実施例においても同様である。
【００４０】
ステップＳ３での確認の結果、視聴制限がオフである場合（ステップＳ３でＮｏと判断された場合）には、通常の動画再生を開始する（ステップＳ９）。すなわち、再生ボタンの操作に従い、操作指示された動画情報が例えばＨＤＤ部６のハードディスクに記録されている場合には、ＨＤＤ部６を起動して動画情報の再生を開始する。
【００４１】
一方、ステップＳ３での確認の結果、視聴制限がオンに設定されている場合（ステップＳ３でＹｅｓと判断された場合）には、マイコン１２は、ストレージ制御部７を制御して、ＨＤＤ部６のハードディスクに記録されている該当する動画情報から音声情報を読み出して情報変換部１４に入力し、情報変換部１４において音声情報を文字情報に順次変換する（ステップＳ４）。そして、変換後の文字情報（名詞に関するキーワード）をマイコン１２に入力する。
【００４２】
マイコン１２は、変換されたキーワードと、文字情報記憶部３ａのキーワード登録テーブルに登録されているキーワードとを順次比較して、いずれかのキーワードが一致するか否かを確認する（ステップＳ５）。その結果、いずれのキーワードも一致しなかった場合（ステップＳ５でＮｏと判断された場合）には、視聴制限を行う必要無しと判断し、通常の動画再生を開始する（ステップＳ９）。
【００４３】
一方、一致するキーワードがある場合（ステップＳ５でＹｅｓと判断された場合）には、選択された動画情報が視聴制限に該当することをユーザに通知するため、図６に示す再生禁止メッセージをモニタ装置３０の画面に表示する（ステップＳ６）。このとき、再生禁止メッセージには、視聴制限を解除するためのパスワードの入力画面も併せて表示する。この視聴制限解除パスワードは、上記した管理者権限によって事前に登録されているものとする。
【００４４】
マイコン１２は、このパスワード入力画面にパスワードが入力された場合には、その入力されたパスワードが事前に登録されているパスワードと一致するか否かを確認する（ステップＳ７）。その結果、パスワードが一致する場合（ステップＳ７でＹｅｓと判断された場合）には、ステップＳ９に進んで通常の動画再生を開始する。一方、入力されたパスワードが一致しない場合（ステップＳ７でＮｏと判断された場合）には、一定時間が経過したか否かを確認し（ステップＳ８）、入力されたパスワードが一致することなく、若しくはパスワードが入力されることなく一定時間（例えば、１０秒等）が経過した場合（ステップＳ８でＹｅｓと判断された場合）には、再生動作を行うことなく処理を終了する。なお、この一定時間の計測は、図示しないタイマー回路によって行う。
【００４５】
すなわち、本実施例１では、選択された動画情報の再生前にまずキーワードの一致を確認し、一致した場合には、解除のためのパスワードが入力されない限り、動画情報の再生を最初から禁止するようにした実施例である。
【００４６】
＜実施例２＞
図７は、本実施例２の視聴制限処理動作を説明するためのフローチャートである。以下、図７に示すフローチャートを参照して本実施例２の視聴制限処理動作を説明する。ただし、本実施例２では、図４（ａ）、（ｂ）に示す視聴制限テーブルは使用しない。また、キーワード登録テーブルには、既に図２に示すようなキーワードがユーザによって登録されているものとする。
【００４７】
ユーザが本ＤＶＤレコーダ１の電源をオンし（ステップＳ１１）、リモコン２０の図示しない再生ボタンを操作すると（ステップＳ１２）、マイコン１２は、本ＤＶＤレコーダ１が視聴制限オンに設定されているか否かを確認する（ステップＳ１３）。
【００４８】
ステップＳ１３での確認の結果、視聴制限がオフである場合（ステップＳ１３でＮｏと判断された場合）には、通常の動画再生を開始する（ステップＳ２４）。すなわち、再生ボタンの操作に従い、操作指示された動画情報が例えばＨＤＤ部６のハードディスクに記録されている場合には、ＨＤＤ部６を起動して動画情報の再生を開始する。
【００４９】
一方、ステップＳ１３での確認の結果、視聴制限がオンに設定されている場合（ステップＳ１３でＹｅｓと判断された場合）には、マイコン１２は、ストレージ制御部７を制御して、ＨＤＤ部６のハードディスクに記録されている該当する動画情報の再生を開始する（ステップＳ１４）。このとき、マイコン１２は、ストレージ制御部７を介してＨＤＤ部６を制御し、再生される動画情報から音声情報を順次読み出して情報変換部１４に入力させる（ステップＳ１５）。情報変換部１４は、入力された音声情報を文字情報（名詞に関するキーワード）に変換して、マイコン１２に順次入力する（ステップＳ１６）。
【００５０】
マイコン１２は、変換されたキーワードと、文字情報記憶部３ａのキーワード登録テーブルに登録されているキーワードとを順次比較して、キーワードが一致するか否かを動画再生中常に確認する（ステップＳ１７）。その結果、キーワードが一致しない場合（ステップＳ１７でＮｏと判断された場合）には、視聴制限を行う必要無しと判断し、そのまま動画情報の再生を継続する（ステップＳ１４）。
【００５１】
一方、一致するキーワードがあった場合（ステップＳ１７でＹｅｓと判断された場合）には、その時点で動画情報の再生を一次停止するとともに（ステップＳ１８）、再生中の動画情報が視聴制限に該当することをユーザに通知するため、図６に示す再生禁止メッセージをモニタ装置３０の画面に表示する（ステップＳ１９）。このとき、再生禁止メッセージには、視聴制限を解除するためにパスワードの入力画面も併せて表示する。
【００５２】
マイコン１２は、このパスワード入力画面にパスワードが入力された場合には、その入力されたパスワードが事前に登録されているパスワードと一致するか否かを確認する（ステップＳ２０）。その結果、パスワードが一致する場合（ステップＳ２０でＹｅｓと判断された場合）には、一次停止していた動画情報の再生を再開する（ステップＳ２１）。一方、入力されたパスワードが一致しない場合（ステップＳ２０でＮｏと判断された場合）には、一定時間（例えば、１０秒等）が経過したか否かを確認し（ステップＳ２２）、入力されたパスワードが一致することなく、若しくはパスワードが入力されることなく一定時間が経過した場合（ステップＳ２２でＹｅｓと判断された場合）には、その時点で動画再生を停止する（ステップＳ２３）。
【００５３】
すなわち、本実施例２では、選択された動画情報の再生と並行してキーワードの一致を確認し、キーワードが一致した場合には、解除のためのパスワードが入力されない限り、その後の動画再生を禁止するようにした実施例である。
【００５４】
＜実施例３＞
図８は、本実施例３の視聴制限処理動作を説明するためのフローチャートである。以下、図８に示すフローチャートを参照して本実施例３の視聴制限処理動作を説明する。ただし、本実施例３では、図４（ａ）、（ｂ）に示す視聴制限テーブルは使用しない。また、キーワード登録テーブルには、既に図２に示すようなキーワードがユーザによって登録されているものとする。
【００５５】
ユーザが本ＤＶＤレコーダ１の電源をオンし（ステップＳ３１）、リモコン２０の図示しない再生ボタンを操作すると（ステップＳ３２）、マイコン１２は、本ＤＶＤレコーダ１が視聴制限オンに設定されているか否かを確認する（ステップＳ３３）。
【００５６】
ステップＳ３３での確認の結果、視聴制限がオフである場合（ステップＳ３３でＮｏと判断された場合）には、通常の動画再生を開始する（ステップＳ４０）。すなわち、再生ボタンの操作に従い、操作指示された動画情報が例えばＨＤＤ部６のハードディスクに記録されている場合には、ＨＤＤ部６を起動して動画情報の再生を開始する。
【００５７】
一方、ステップＳ３３での確認の結果、視聴制限がオンに設定されている場合（ステップＳ３３でＹｅｓと判断された場合）には、マイコン１２は、ストレージ制御部７を制御して、ＨＤＤ部６のハードディスクに記録されている該当する動画情報の再生を開始する（ステップＳ３４）。このとき、マイコン１２は、ストレージ制御部７を介してＨＤＤ部６を制御し、再生される動画情報から音声情報を順次読み出して情報変換部１４に入力させる（ステップＳ３５）。情報変換部１４は、入力された音声情報を文字情報（名詞に関するキーワード）に変換して、マイコン１２に順次入力する（ステップＳ３６）。
【００５８】
マイコン１２は、変換されたキーワードと、文字情報記憶部３ａのキーワード登録テーブルに登録されているキーワードとを順次比較して、キーワードが一致するか否かを動画再生中常に確認する（ステップＳ３７）。その結果、キーワードが一致しない場合（ステップＳ３７でＮｏと判断された場合）には、視聴制限を行う必要無しと判断し、そのまま動画情報の再生を継続する（ステップＳ３４）。
【００５９】
一方、一致するキーワードがあった場合（ステップＳ３７でＹｅｓと判断された場合）には、そのキーワードを含む前後数秒間の動画情報の再生を禁止する（ステップＳ３８）。すでに説明したように、ＨＤＤ部６では、ディスクから再生した情報を一旦バッファに蓄積し、その後バッファから情報を読み出して再生するようになっているので、このバッファに蓄積した時点でキーワードの検索が可能である。従って、キーワードが一致した場合には、その時点から数秒間の間、バッファに順次蓄積される情報を再生しないようにすることで、本実施例３による数秒間の動画情報の再生を禁止することができる。このことは、市販のＤＶＤ等を装填してＤＶＤ部５で動画情報を再生した場合も同様であるので、ＤＶＤの再生時でもこのような部分的な視聴制限を実施することが可能である。
【００６０】
この後、マイコン１２は、任意のタイミングで視聴制限を解除するためのパスワードが入力されたか否かを監視する（ステップＳ３９）。本実施例３の場合、動画を視聴中にユーザがリモコン２０を操作することにより、視聴制限解除のためのパスワードの入力画面をモニタ画面３０上の画面隅にＯＳＤ表示可能としている。従って、ユーザは、視聴を妨げられることなく、この入力画面からパスワードの入力が可能である。
【００６１】
ステップＳ３９での監視の結果、パスワードが入力された場合（ステップＳ３９でＹｅｓと判断された場合）には、マイコン１２は、視聴制限を解除し、ステップＳ４０に進んで、その後は通常の動画再生を行うことになる。
【００６２】
すなわち、本実施例３では、選択された動画情報の再生中にキーワードの一致を確認した場合には、解除のためのパスワードが入力されない限り、そのキーワードを含む前後数秒間の間、動画再生を禁止する部分視聴制限をその都度行うようにした実施例である。
【００６３】
＜実施例４＞
図９は、本実施例４の視聴制限処理動作を説明するためのフローチャートである。以下、図９に示すフローチャートを参照して本実施例４の視聴制限処理動作を説明する。なお、本実施例４では、図４（ａ）に示す視聴制限テーブルを使用する。また、キーワード登録テーブルには、既に図２に示すようなキーワードがユーザによって登録されているものとする。
【００６４】
ユーザが本ＤＶＤレコーダ１の電源をオンし（ステップＳ５１）、リモコン２０の図示しない再生ボタンを操作すると（ステップＳ５２）、マイコン１２は、本ＤＶＤレコーダ１が視聴制限オンに設定されているか否かを確認する（ステップＳ５３）。
【００６５】
ステップＳ５３での確認の結果、視聴制限がオフである場合（ステップＳ５３でＮｏと判断された場合）には、通常の動画再生を開始する（ステップＳ６１）。すなわち、再生ボタンの操作に従い、操作指示された動画情報が例えばＨＤＤ部６のハードディスクに記録されている場合には、ＨＤＤ部６を起動して動画情報の再生を開始する。
【００６６】
一方、ステップＳ５３での確認の結果、視聴制限がオンに設定されている場合（ステップＳ５３でＹｅｓと判断された場合）には、設定されている視聴制限レベルを取得する（ステップＳ５４）。なお、この視聴制限レベルの設定は、本ＤＶＤレコーダ１の管理者権限においてのみ行えるように構成しておく。すなわち、管理者として登録されたパスワードを入力することで、視聴制限レベルの設定画面がモニタ装置３０に表示されるように構成しておく。これにより、管理者のパスワードを知らないその他の者（例えば、家族内での子供等）によって、視聴制限が解除されたり、レベルが変更されたりすることはない。なお、この設定画面によって設定された視聴制限レベルの情報は、メモリ部１３の所定の領域に記憶されるものとする。ここでは、視聴制限レベルとしてレベル２（すなわち、一致回数３（図４（ａ）参照））が設定されているものとする。
【００６７】
次に、マイコン１２は、ストレージ制御部７を制御して、ＨＤＤ部６のハードディスクに記録されている該当する動画情報から音声情報を読み出して情報変換部１４に入力し、情報変換部１４において音声情報を文字情報に順次変換する（ステップＳ５５）。そして、変換後の文字情報（名詞に関するキーワード）をマイコン１２に入力する。
【００６８】
マイコン１２は、変換されたキーワードと、文字情報記憶部３ａのキーワード登録テーブルに登録されているキーワードとを比較して、キーワードが一致するか否かを順次確認する（ステップＳ５６）。その結果、キーワードが一致しなかった場合（ステップＳ５６でＮｏと判断された場合）には、ステップＳ５５に戻る。
【００６９】
一方、一致するキーワードがある場合（ステップＳ５６でＹｅｓと判断された場合）には、その一致回数が、取得した視聴制限レベルの設定回数（ここでは、３回）を超えているか否かを確認する（ステップＳ５７）。その結果、設定回数を超えていなければ（ステップＳ５７でＮｏと判断されれば）、ステップＳ５５に戻って、文字情報の変換とキーワードの一致確認を続行する。
【００７０】
一方、一致回数が設定回数と等しいか超えていれば（ステップＳ５７でＹｅｓと判断されれば）、選択された動画情報が視聴制限に該当することをユーザに通知するため、図６に示す再生禁止メッセージをモニタ装置３０の画面に表示する（ステップＳ５８）。このとき、再生禁止メッセージには、視聴制限を解除するためにパスワードの入力画面も併せて表示する。この視聴制限解除パスワードは、上記した管理者権限によって事前に登録されているものとする。
【００７１】
マイコン１２は、このパスワード入力画面にパスワードが入力された場合には、その入力されたパスワードが事前に登録されているパスワードと一致するか否かを確認する（ステップＳ５９）。その結果、パスワードが一致する場合（ステップＳ５９でＹｅｓと判断された場合）には、ステップＳ６１に進んで通常の動画再生を開始する。一方、入力されたパスワードが一致しない場合（ステップＳ５９でＮｏと判断された場合）には、一定時間（例えば、１０秒等）が経過したか否かを確認し（ステップＳ６０）、入力されたパスワードが一致することなく、若しくはパスワードが入力されることなく一定時間が経過した場合（ステップＳ６０でＹｅｓと判断された場合）には、再生動作を行うことなく処理を終了する。
【００７２】
すなわち、本実施例４では、選択された動画情報の再生前にまずキーワードの一致回数を確認し、一致回数が設定されている視聴制限レベルの回数を超えた場合には、解除のためのパスワードが入力されない限り、動画情報の再生を最初から禁止するようにした実施例である。
【００７３】
＜実施例５＞
図１０は、本実施例５の視聴制限処理動作を説明するためのフローチャートである。以下、図１０に示すフローチャートを参照して本実施例５の視聴制限処理動作を説明する。なお、本実施例５では、図４（ａ）に示す視聴制限テーブルを使用する。また、キーワード登録テーブルには、既に図２に示すようなキーワードがユーザによって登録されているものとする。
【００７４】
ユーザが本ＤＶＤレコーダ１の電源をオンし（ステップＳ７１）、リモコン２０の図示しない再生ボタンを操作すると（ステップＳ７２）、マイコン１２は、本ＤＶＤレコーダ１が視聴制限オンに設定されているか否かを確認する（ステップＳ７３）。
【００７５】
ステップＳ７３での確認の結果、視聴制限がオフである場合（ステップＳ７３でＮｏと判断された場合）には、通常の動画再生を開始する（ステップＳ８６）。すなわち、再生ボタンの操作に従い、操作指示された動画情報が例えばＨＤＤ部６のハードディスクに記録されている場合には、ＨＤＤ部６を起動して動画情報の再生を開始する。
【００７６】
一方、ステップＳ７３での確認の結果、視聴制限がオンに設定されている場合（ステップＳ７３でＹｅｓと判断された場合）には、設定されている視聴制限レベルを取得する（ステップＳ７４）。なお、この視聴制限レベルの設定は、本ＤＶＤレコーダ１の管理者権限においてのみ行えるように構成しておく。すなわち、管理者として登録されたパスワードを入力することで、視聴制限レベルの設定画面がモニタ装置３０に表示されるように構成しておく。これにより、管理者のパスワードを知らないその他の者（例えば、家族内での子供等）によって、視聴制限が解除されたり、レベルが変更されたりすることはない。なお、この設定画面によって設定された視聴制限レベルの情報は、メモリ部１３の所定の領域に記憶されるものとする。ここでは、視聴制限レベルとしてレベル２（すなわち、一致回数３（図４（ａ）参照））が設定されているものとする。
【００７７】
次に、マイコン１２は、ストレージ制御部７を制御して、ＨＤＤ部６のハードディスクに記録されている該当する動画情報の再生を開始する（ステップＳ７５）。このとき、マイコン１２は、ストレージ制御部７を介してＨＤＤ部６を制御し、再生される動画情報から音声情報を順次読み出して情報変換部１４に入力させる（ステップＳ７６）。情報変換部１４は、入力された音声情報を文字情報（名詞に関するキーワード）に変換して、マイコン１２に順次入力する（ステップＳ７７）。
【００７８】
マイコン１２は、変換されたキーワードと、文字情報記憶部３ａのキーワード登録テーブルに登録されているキーワードとを順次比較して、キーワードが一致するか否かを動画再生中常に確認する（ステップＳ７８）。その結果、キーワードが一致しない場合（ステップＳ７８でＮｏと判断された場合）には、そのまま動画情報の再生を継続する（ステップＳ７５）。
【００７９】
一方、一致するキーワードがあった場合（ステップＳ７８でＹｅｓと判断された場合）には、そのキーワードを含む前後数秒間の動画情報の再生を禁止する（ステップＳ７９）。すでに説明したように、ＨＤＤ部６では、ディスクから再生した情報を一旦バッファに蓄積し、その後バッファから情報を読み出して再生するようになっているので、このバッファに蓄積した時点でキーワードの検索が可能である。従って、キーワードが一致した場合には、その時点から数秒間の間、バッファに順次蓄積される情報を再生しないようにすることで、本実施例５による数秒間の動画情報の再生を禁止することができる。このことは、市販のＤＶＤ等を装填してＤＶＤ部５で動画情報を再生した場合も同様であるので、ＤＶＤの再生時でもこのような部分的な視聴制限を実施することが可能である。
【００８０】
次に、マイコン１２は、キーワードの一致回数が、取得した視聴制限レベルの設定回数（ここでは、３回）を超えているか否かを確認する（ステップＳ８０）。その結果、設定回数を超えていなければ（ステップＳ８０でＮｏと判断されれば）、次に、視聴制限を解除するためのパスワードが入力されたか否かを確認する（ステップＳ８１）。本実施例５の場合、動画を視聴中にユーザがリモコン２０を操作することにより、視聴制限解除のためのパスワードの入力画面をモニタ画面３０上の画面隅にＯＳＤ表示可能としている。従って、ユーザは、視聴を妨げられることなく、この入力画面からパスワードの入力が可能である。なお、この視聴制限解除パスワードは、上記した管理者権限によって事前に登録されているものとする。
【００８１】
ステップＳ８１での確認の結果、パスワードが入力された場合（ステップＳ８１でＹｅｓと判断された場合）には、マイコン１２は、視聴制限を解除し、ステップＳ８６に進んで、その後は通常の動画再生を行うことになる。
【００８２】
一方、ステップＳ８０において、一致回数が設定回数と等しいか超えていれば（ステップＳ８０でＹｅｓと判断されれば）、その時点で動画の再生を一時停止し、この動画が視聴制限に該当することをユーザに通知するため、図６に示す再生禁止メッセージをモニタ装置３０の画面に表示する（ステップＳ８２）。このとき、再生禁止メッセージには、視聴制限を解除するためにパスワードの入力画面も併せて表示する。
【００８３】
マイコン１２は、このパスワード入力画面にパスワードが入力された場合には、その入力されたパスワードが事前に登録されているパスワードと一致するか否かを確認する（ステップＳ８３）。その結果、パスワードが一致する場合（ステップＳ８３でＹｅｓと判断された場合）には、ステップＳ８６に進んで通常の動画再生を開始する。一方、入力されたパスワードが一致しない場合（ステップＳ８５でＮｏと判断された場合）には、一定時間（例えば、１０秒等）が経過したか否かを確認し（ステップＳ８４）、入力されたパスワードが一致することなく、若しくはパスワードが入力されることなく一定時間が経過した場合（ステップＳ８４でＹｅｓと判断された場合）には、一時停止中の再生動作を完全に終了して（ステップＳ８５）、処理を終了する。
【００８４】
すなわち、本実施例５では、選択された動画情報の再生中にキーワードの一致を確認した場合には、そのキーワードを含む前後数秒間の間、動画再生を禁止する部分視聴制限をその都度行うとともに、このような部分視聴制限を予め設定されている視聴制限レベルの回数だけ行った時点で、解除のためのパスワードが入力されない限り、その後の動画再生を禁止するようにした実施例である。
【００８５】
＜実施例６＞
図１１は、本実施例６の視聴制限処理動作を説明するためのフローチャートである。以下、図１１に示すフローチャートを参照して本実施例６の視聴制限処理動作を説明する。なお、本実施例６では、図４（ｂ）に示す視聴制限テーブルを使用する。また、キーワード登録テーブルには、既に図２に示すようなキーワードがユーザによって登録されているものとする。
【００８６】
ユーザが本ＤＶＤレコーダ１の電源をオンし（ステップＳ９１）、リモコン２０の図示しない再生ボタンを操作すると（ステップＳ９２）、マイコン１２は、本ＤＶＤレコーダ１が視聴制限オンに設定されているか否かを確認する（ステップＳ９３）。
【００８７】
ステップＳ９３での確認の結果、視聴制限がオフである場合（ステップＳ９３でＮｏと判断された場合）には、通常の動画再生を開始する（ステップＳ１０２）。すなわち、再生ボタンの操作に従い、操作指示された動画情報が例えばＨＤＤ部６のハードディスクに記録されている場合には、ＨＤＤ部６を起動して動画情報の再生を開始する。
【００８８】
一方、ステップＳ９３での確認の結果、視聴制限がオンに設定されている場合（ステップＳ９３でＹｅｓと判断された場合）には、設定されている視聴制限レベルを取得する（ステップＳ９４）。なお、この視聴制限レベルの設定は、本ＤＶＤレコーダ１の管理者権限においてのみ行えるように構成しておく。すなわち、管理者として登録されたパスワードを入力することで、視聴制限レベルの設定画面がモニタ装置３０に表示されるように構成しておく。これにより、管理者のパスワードを知らないその他の者（例えば、家族内での子供等）によって、視聴制限が解除されたり、レベルが変更されたりすることはない。なお、この設定画面によって設定された視聴制限レベルの情報は、メモリ部１３の所定の領域に記憶されるものとする。ここでは、視聴制限レベルとしてレベル２（すなわち、一致回数３（図４（ａ）参照））が設定されているものとする。
【００８９】
次に、マイコン１２は、ストレージ制御部７を制御して、ＨＤＤ部６のハードディスクに記録されている該当する動画情報から音声情報を読み出して情報変換部１４に入力し、情報変換部１４において音声情報を文字情報に順次変換する（ステップＳ９５）。そして、変換後の文字情報（名詞に関するキーワード）をマイコン１２に入力する。
【００９０】
マイコン１２は、変換されたキーワードと、文字情報記憶部３ａのキーワード登録テーブルに登録されているキーワードとを比較して、キーワードが一致するか否かを順次確認する（ステップＳ９６）。その結果、キーワードが一致しなかった場合（ステップＳ９６でＮｏと判断された場合）には、ステップＳ９５に戻る。
【００９１】
一方、一致するキーワードがある場合（ステップＳ９６でＹｅｓと判断された場合）には、マイコン１２は、そのキーワードに割り当てられている点数を図４（ｂ）に示す視聴制限テーブルから取得して順次加算することで、加算得点数を算出する（ステップＳ９７）。例えば、一致したキーワードが「ａａａ」であった場合には、図４（ｂ）に示す視聴制限テーブルから点数「５」を取得し、これをそれまでの加算得点数に加算する。ただし、一致したキーワードが最初のキーワードであった場合には、それまでの加算得点数は０である。従って、この次に一致したキーワードが例えば「ｃｃｃ」であった場合には、図４（ｂ）に示す視聴制限テーブルから点数「３」を取得し、これをそれまでの加算得点数「５」に加算して、新たな加算得点数「８」を算出することになる。
【００９２】
このようにしてその時点での加算得点数を算出すると、マイコン１２は、その加算得点数が、取得した視聴制限レベルの総得点数（ここでは、１０点）を超えているか否かを確認する（ステップＳ９８）。その結果、総得点数を超えていなければ（ステップＳ９８でＮｏと判断されれば）、ステップＳ９５に戻って、文字情報の変換とキーワードの一致確認を続行する。
【００９３】
一方、加算得点数が総得点数と等しいか超えていれば（ステップＳ９８でＹｅｓと判断されれば）、選択された動画情報が視聴制限に該当することをユーザに通知するため、図６に示す再生禁止メッセージをモニタ装置３０の画面に表示する（ステップＳ９９）。このとき、再生禁止メッセージには、視聴制限を解除するためにパスワードの入力画面も併せて表示する。この視聴制限解除パスワードは、上記した管理者権限によって事前に登録されているものとする。
【００９４】
マイコン１２は、このパスワード入力画面にパスワードが入力された場合には、その入力されたパスワードが事前に登録されているパスワードと一致するか否かを確認する（ステップＳ１００）。その結果、パスワードが一致する場合（ステップＳ１００でＹｅｓと判断された場合）には、ステップＳ１０２に進んで通常の動画再生を開始する。一方、入力されたパスワードが一致しない場合（ステップＳ１００でＮｏと判断された場合）には、一定時間（例えば、１０秒等）が経過したか否かを確認し（ステップＳ１０１）、入力されたパスワードが一致することなく、若しくはパスワードが入力されることなく一定時間が経過した場合（ステップＳ１０１でＹｅｓと判断された場合）には、再生動作を行うことなく処理を終了する。
【００９５】
すなわち、本実施例６では、選択された動画情報の再生前にまずキーワードの一致の有無と一致による加算得点数とを確認し、加算得点数が設定されている視聴制限レベルの総得点数を超えた場合には、解除のためのパスワードが入力されない限り、動画情報の再生を最初から禁止するようにした実施例である。
【００９６】
＜実施例７＞
図１２は、本実施例７の視聴制限処理動作を説明するためのフローチャートである。以下、図１２に示すフローチャートを参照して本実施例７の視聴制限処理動作を説明する。なお、本実施例７では、図４（ｂ）に示す視聴制限テーブルを使用する。また、キーワード登録テーブルには、既に図２に示すようなキーワードがユーザによって登録されているものとする。
【００９７】
ユーザが本ＤＶＤレコーダ１の電源をオンし（ステップＳ１１１）、リモコン２０の図示しない再生ボタンを操作すると（ステップＳ１１２）、マイコン１２は、本ＤＶＤレコーダ１が視聴制限オンに設定されているか否かを確認する（ステップＳ１１３）。
【００９８】
ステップＳ１１３での確認の結果、視聴制限がオフである場合（ステップＳ１１３でＮｏと判断された場合）には、通常の動画再生を開始する（ステップＳ１２７）。すなわち、再生ボタンの操作に従い、操作指示された動画情報が例えばＨＤＤ部６のハードディスクに記録されている場合には、ＨＤＤ部６を起動して動画情報の再生を開始する。
【００９９】
一方、ステップＳ１１３での確認の結果、視聴制限がオンに設定されている場合（ステップＳ１１３でＹｅｓと判断された場合）には、設定されている視聴制限レベルを取得する（ステップＳ１１４）。なお、この視聴制限レベルの設定は、本ＤＶＤレコーダ１の管理者権限においてのみ行えるように構成しておく。すなわち、管理者として登録されたパスワードを入力することで、視聴制限レベルの設定画面がモニタ装置３０に表示されるように構成しておく。これにより、管理者のパスワードを知らないその他の者（例えば、家族内での子供等）によって、視聴制限が解除されたり、レベルが変更されたりすることはない。なお、この設定画面によって設定された視聴制限レベルの情報は、メモリ部１３の所定の領域に記憶されるものとする。ここでは、視聴制限レベルとしてレベル２（すなわち、一致回数３（図４（ａ）参照））が設定されているものとする。
【０１００】
次に、マイコン１２は、ストレージ制御部７を制御して、ＨＤＤ部６のハードディスクに記録されている該当する動画情報の再生を開始する（ステップＳ１１５）。このとき、マイコン１２は、ストレージ制御部７を介してＨＤＤ部６を制御し、再生される動画情報から音声情報を順次読み出して情報変換部１４に入力させる（ステップＳ１１６）。情報変換部１４は、入力された音声情報を文字情報（名詞に関するキーワード）に変換して、マイコン１２に順次入力する（ステップＳ１１７）。
【０１０１】
マイコン１２は、変換されたキーワードと、文字情報記憶部３ａのキーワード登録テーブルに登録されているキーワードとを順次比較して、キーワードが一致するか否かを動画再生中常に確認する（ステップＳ１１８）。その結果、キーワードが一致しない場合（ステップＳ１１８でＮｏと判断された場合）には、そのまま動画情報の再生を継続する（ステップＳ１１５）。
【０１０２】
一方、一致するキーワードがあった場合（ステップＳ１１８でＹｅｓと判断された場合）には、そのキーワードを含む前後数秒間の動画情報の再生を禁止する（ステップＳ１１９）。すでに説明したように、ＨＤＤ部６では、ディスクから再生した情報を一旦バッファに蓄積し、その後バッファから情報を読み出して再生するようになっているので、このバッファに蓄積した時点でキーワードの検索が可能である。従って、キーワードが一致した場合には、その時点から数秒間の間、バッファに順次蓄積される情報を再生しないようにすることで、本実施例７による数秒間の動画情報の再生を禁止することができる。このことは、市販のＤＶＤ等を装填してＤＶＤ部５で動画情報を再生した場合も同様であるので、ＤＶＤの再生時でもこのような部分的な視聴制限を実施することが可能である。
【０１０３】
次に、マイコン１２は、そのキーワードに割り当てられている点数を図４（ｂ）に示す視聴制限テーブルから取得して順次加算することで、加算得点数を算出する（ステップＳ１２０）。例えば、一致したキーワードが「ａａａ」であった場合には、図４（ｂ）に示す視聴制限テーブルから点数「５」を取得し、これをそれまでの加算得点数に加算する。ただし、一致したキーワードが最初のキーワードであった場合には、それまでの加算得点数は０である。従って、この次に一致したキーワードが例えば「ｃｃｃ」であった場合には、図４（ｂ）に示す視聴制限テーブルから点数「３」を取得し、これをそれまでの加算得点数「５」に加算して、新たな加算得点数「８」を算出することになる。
【０１０４】
このようにしてその時点での加算得点数を算出すると、マイコン１２は、その加算得点数が、取得した視聴制限レベルの総得点数（ここでは、１０点）を超えているか否かを確認する（ステップＳ１２１）。その結果、総得点数を超えていなければ（ステップＳ１２１でＮｏと判断されれば）、次に、視聴制限を解除するためのパスワードが入力されたか否かを確認する（ステップＳ１２２）。本実施例７の場合、動画を視聴中にユーザがリモコン２０を操作することにより、視聴制限解除のためのパスワードの入力画面をモニタ画面３０上の画面隅にＯＳＤ表示可能としている。従って、ユーザは、視聴を妨げられることなく、この入力画面からパスワードの入力が可能である。なお、この視聴制限解除パスワードは、上記した管理者権限によって事前に登録されているものとする。
【０１０５】
ステップＳ１２２での確認の結果、パスワードが入力された場合（ステップＳ１２２でＹｅｓと判断された場合）には、マイコン１２は、視聴制限を解除し、ステップＳ１２６に進んで、その後は通常の動画再生を行うことになる。
【０１０６】
一方、ステップＳ１２１において、加算得点数が総得点数と等しいか超えていれば（ステップＳ１２１でＹｅｓと判断されれば）、その時点で動画の再生を一時停止し、この動画が視聴制限に該当することをユーザに通知するため、図６に示す再生禁止メッセージをモニタ装置３０の画面に表示する（ステップＳ１２３）。このとき、再生禁止メッセージには、視聴制限を解除するためにパスワードの入力画面も併せて表示する。
【０１０７】
マイコン１２は、このパスワード入力画面にパスワードが入力された場合には、その入力されたパスワードが事前に登録されているパスワードと一致するか否かを確認する（ステップＳ１２４）。その結果、パスワードが一致する場合（ステップＳ１２４でＹｅｓと判断された場合）には、ステップＳ１２７に進んで通常の動画再生を開始する。一方、入力されたパスワードが一致しない場合（ステップＳ１２４でＮｏと判断された場合）には、一定時間（例えば、１０秒等）が経過したか否かを確認し（ステップＳ１２５）、入力されたパスワードが一致することなく、若しくはパスワードが入力されることなく一定時間が経過した場合（ステップＳ１２５でＹｅｓと判断された場合）には、一時停止中の再生動作を完全に終了して（ステップＳ１２６）、処理を終了する。
【０１０８】
すなわち、本実施例７では、選択された動画情報の再生中にキーワードの一致を確認した場合には、そのキーワードを含む前後数秒間の間、動画再生を禁止する部分視聴制限をその都度行うとともに、このような部分視聴制限を、加算得点数が総得点数を超えるまで行った時点で、解除のためのパスワードが入力されない限り、その後の動画再生を禁止するようにした実施例である。
【図面の簡単な説明】
【０１０９】
【図１】本発明の一実施形態である情報記録再生装置の機能ブロック図である。
【図２】文字情報記憶部１３ａに格納されているキーワードの登録テーブルの例を示す説明図である。
【図３】キーワードデータベースの構成例を示す説明図である。
【図４】（ａ），（ｂ）は、視聴制限レベル記憶部に記憶されている視聴制限レベルの各種テーブル（視聴制限テーブル）の構成例を示す説明図である。
【図５】本実施形態のハードディスク内蔵型ＤＶＤレコーダにおける実施例１の視聴制限処理動作を説明するためのフローチャートである。
【図６】モニタ装置に表示した再生禁止メッセージ画面の説明図である。
【図７】本実施形態のハードディスク内蔵型ＤＶＤレコーダにおける実施例２の視聴制限処理動作を説明するためのフローチャートである。
【図８】本実施形態のハードディスク内蔵型ＤＶＤレコーダにおける実施例３の視聴制限処理動作を説明するためのフローチャートである。
【図９】本実施形態のハードディスク内蔵型ＤＶＤレコーダにおける実施例４の視聴制限処理動作を説明するためのフローチャートである。
【図１０】本実施形態のハードディスク内蔵型ＤＶＤレコーダにおける実施例５の視聴制限処理動作を説明するためのフローチャートである。
【図１１】本実施形態のハードディスク内蔵型ＤＶＤレコーダにおける実施例６の視聴制限処理動作を説明するためのフローチャートである。
【図１２】本実施形態のハードディスク内蔵型ＤＶＤレコーダにおける実施例７の視聴制限処理動作を説明するためのフローチャートである。
【符号の説明】
【０１１０】
１  ハードディスク内蔵型ＤＶＤレコーダ（ＤＶＤレコーダ）
２  チューナ
３  信号処理回路
５  ＤＶＤ部
６  ＨＤＤ部
７  ストレージ制御部
３  ＯＳＤ回路
９  音声出力回路
１２  マイコン
１３  メモリ
１３ａ  文字情報記憶部
１３ｂ  視聴制限レベル記憶部
１４  情報変換部
１５  リモコン受信部
２０  リモコン
３０  モニタ装置
４０  スピーカ
【図１】
2008294496.tif 000003
【図２】
2008294496.tif 000004
【図３】
2008294496.tif 000005
【図４】
2008294496.tif 000006
【図５】
2008294496.tif 000007
【図６】
2008294496.tif 000008
【図７】
2008294496.tif 000009
【図８】
2008294496.tif 000010
【図９】
2008294496.tif 000011
【図１０】
2008294496.tif 000012
【図１１】
2008294496.tif 000013
【図１２】
2008294496.tif 000014